(57)【要約】【課題】医療機器の故障履歴、使用状況及び洗浄状況等を学習して故障予測を行う。【解決手段】医療機器３００ａの検査に関する情報を処理する検査情報処理装置２００ａと、医療機器３００ａの識別情報を読み取る第１読み取り装置２１０ａと、医療機器３００ｂのクリーニングに関する情報及び医療機器３００ｂの故障に関する情報を処理するメンテナンス情報処理装置２００ｂと、医療機器３００ｂの識別情報を読み取る第２読み取り装置２１０ｂと、検査に関する情報、クリーニングに関する情報、及び故障に関する情報を医療機器３００ａ，３００ｂの識別情報と紐付けて管理する情報管理装置６００とを備え、情報管理装置６００は、検査に関する情報、メンテナンスに関する情報、及び故障に関する情報を機械学習し、医療機器３００ａ，３００ｂの故障可能性を予測する故障予測部６１０を備える。【選択図】図９
2020091562.tif 000002
【特許請求の範囲】
【請求項１】
クリーニングを行うことにより繰り返し使用する医療機器の故障予測を行う故障予測システムであって、
前記医療機器を用いた検査に関する情報を処理する検査情報処理装置と、
前記検査情報処理装置と通信可能であり、前記医療機器の識別情報を読み取る第１読み取り装置と、
前記医療機器のクリーニングに関する情報、および前記医療機器の故障に関する情報を処理するメンテナンス情報処理装置と、
前記メンテナンス情報処理装置と通信可能であり、前記医療機器の識別情報を読み取る第２読み取り装置と、
前記検査情報処理装置および前記メンテナンス情報処理装置と通信可能であり、前記検査に関する情報、前記メンテナンスに関する情報、および前記故障に関する情報を前記医療機器の識別情報と紐付けて管理する情報管理装置と、を備え、
前記情報管理装置は、
前記検査に関する情報、前記メンテナンスに関する情報、および前記故障に関する情報を機械学習し、前記医療機器の故障可能性を予測する故障予測部を備える、
故障予測システム。
【請求項２】
前記医療機器を用いた検査に関する情報には、前記検査を受けた患者に関する情報、前記検査を行った医者に関する情報、および前記検査の内容に関する情報が含まれる、
請求項１に記載の故障予測システム。
【請求項３】
前記医療機器のクリーニングに関する情報には、前記医療機器の洗浄または拭き取りの種類、洗浄または拭き取りに使用した薬剤、洗浄または拭き取りに用いた器具、および洗浄または拭き取りを行った者に関する情報が含まれる、
請求項１または請求項２に記載の故障予測システム。
【請求項４】
前記医療機器の故障に関する情報には、故障頻度、および故障箇所に関する情報が含まれる、
請求項１ないし請求項３のいずれか一項に記載の故障予測システム。
【請求項５】
前記情報管理装置は、インターネット回線を介して、複数箇所における前記検査情報処理装置および前記メンテナンス情報処理装置と通信可能に接続されている、
請求項１ないし請求項４のいずれか一項に記載の故障予測システム。
【請求項６】
クリーニングを行うことにより繰り返し使用する医療機器の故障予測を行う故障予測方法であって、
検査情報処理装置により、前記医療機器を用いた検査に関する情報を処理するステップと、
前記検査情報処理装置と通信可能な第１読み取り装置により、前記医療機器の識別情報を読み取るステップと、
メンテナンス情報処理装置により、前記医療機器のクリーニングに関する情報、および前記医療機器の故障に関する情報を処理するステップと、
前記メンテナンス情報処理装置と通信可能な第２読み取り装置により、前記医療機器の識別情報を読み取るステップと、
前記検査情報処理装置および前記メンテナンス情報処理装置と通信可能な情報管理装置により、前記検査に関する情報、前記クリーニングに関する情報、および前記故障に関する情報、並びに、前記医療機器の型式等を含む医療機器管理情報を前記医療機器の識別情報と紐付けて管理するステップと、
前記情報管理装置により、前記検査に関する情報、前記メンテナンスに関する情報、前記故障に関する情報、および前記医療機器管理情報を機械学習し、前記医療機器の故障可能性を予測するステップと、を備える、
故障予測方法。
【請求項７】
クリーニングを行うことにより繰り返し使用する医療機器の故障予測を行う故障予測システムの情報管理装置におけるプログラムであって、前記プログラムは、コンピュータに、
検査に用いられる前記医療機器の識別情報と、検査に関する情報とを入力するステップと、
クリーニングに用いられる前記医療機器の識別情報と、クリーニングに関する情報とを入力するステップと、
修理依頼される前記医療機器の識別情報と、故障に関する情報と入力するステップと、
前記検査に関する情報、前記クリーニングに関する情報、および前記故障に関する情報、並びに、前記医療機器の識別情報と紐付けて管理するステップと、
前記検査に関する情報、前記メンテナンスに関する情報、前記故障に関する情報、および前記医療機器管理情報を機械学習し、前記医療機器の故障可能性を予測するステップと、を実行させる、
プログラム。
【発明の詳細な説明】
【技術分野】
【０００１】
この発明は、医療機器の故障予測システム、医療機器の故障予測方法、およびプログラム
【背景技術】
【０００２】
従来、病院で内視鏡の洗浄を行う場合は、内視鏡の使用履歴や故障履歴の記録を行っているが、例えば、特許文献１には、監視対象となる複数の医療機器について、消費電力値を求めて機械学習させることにより、医療機器が故障しているか否かを判断する故障判断処理に関する技術が記載されている。
【先行技術文献】
【特許文献】
【０００３】
【特許文献１】特許第６２２８６５６号公報
【発明の概要】
【発明が解決しようとする課題】
【０００４】
しかし、特許文献１の処理では、使用履歴や故障履歴の統計をとることにより、故障しやすい機材や故障しやすい箇所を知ることはできるが、使用条件を加味した故障予測を行うことはできない。
【０００５】
そこで、この発明の課題は、内視鏡等の医療機器の故障履歴に加えて、使用状況および洗浄・管理状況を学習・分析することにより、医療機器の故障予測を行うことのできる故障予測システム、故障予測方法、およびプログラムを提供することにある。
【課題を解決するための手段】
【０００６】
本発明の故障予測システムの一態様は、上記課題を解決するため、
クリーニングを行うことにより繰り返し使用する医療機器の故障予測を行う故障予測システムであって、
前記医療機器を用いた検査に関する情報を処理する検査情報処理装置と、
前記検査情報処理装置と通信可能であり、前記医療機器の識別情報を読み取る第１読み取り装置と、
前記医療機器のクリーニングに関する情報、および前記医療機器の故障に関する情報を処理するメンテナンス情報処理装置と、
前記メンテナンス情報処理装置と通信可能であり、前記医療機器の識別情報を読み取る第２読み取り装置と、
前記検査情報処理装置および前記メンテナンス情報処理装置と通信可能であり、前記検査に関する情報、前記クリーニングに関する情報、および前記故障に関する情報、並びに、前記医療機器の型式等を含む医療機器管理情報を前記医療機器の識別情報と紐付けて管理する情報管理装置と、を備え、
前記情報管理装置は、
前記検査に関する情報、前記メンテナンスに関する情報、および前記故障に関する情報を機械学習し、前記医療機器の故障可能性を予測する故障予測部を備える。
【０００７】
本態様によれば、第１読み取り装置によって読み取られた医療機器の識別情報は、検査情報処理装置に入力される。第２読み取り装置によって読み取られた医療機器の識別情報は、メンテナンス情報処理装置に入力される。検査情報処理装置における検査に関する情報、および、メンテナンス情報処理装置におけるメンテナンスに関する情報並びに故障に関する情報は、医療機器の識別情報と共に情報管理装置に送信される。情報管理装置においては、医療機器の識別情報と、検査に関する情報、およびメンテナンスに関する情報並びに故障に関する情報とを紐付けて管理する。情報管理装置の故障予測部は、検査に関する情報、メンテナンスに関する情報、および故障に関する情報を機械学習し、医療機器の故障可能性を予測する。したがって、本態様によれば、内視鏡等の医療機器の故障履歴に加えて、使用状況および洗浄・管理状況を学習・分析することにより、医療機器の故障予測が可能となる。
【０００８】
本発明の故障予測方法の一態様は、上記課題を解決するため、
クリーニングを行うことにより繰り返し使用する医療機器の故障予測を行う故障予測方法であって、
検査情報処理装置により、前記医療機器を用いた検査に関する情報を処理するステップと、
前記検査情報処理装置と通信可能な第１読み取り装置により、前記医療機器の識別情報を読み取るステップと、
メンテナンス情報処理装置により、前記医療機器のクリーニングに関する情報、および前記医療機器の故障に関する情報を処理するステップと、
前記メンテナンス情報処理装置と通信可能な第２読み取り装置により、前記医療機器の識別情報を読み取るステップと、
前記検査情報処理装置および前記メンテナンス情報処理装置と通信可能な情報管理装置により、前記検査に関する情報、前記クリーニングに関する情報、および前記故障に関する情報、並びに、前記医療機器の型式等を含む医療機器管理情報を前記医療機器の識別情報と紐付けて管理するステップと、
前記情報管理装置により、前記検査に関する情報、前記メンテナンスに関する情報、および前記故障に関する情報を機械学習し、前記医療機器の故障可能性を予測するステップと、を備える。
【０００９】
本態様によれば、第１読み取り装置によって読み取られた医療機器の識別情報は、検査情報処理装置に入力される。第２読み取り装置によって読み取られた医療機器の識別情報は、メンテナンス情報処理装置に入力される。検査情報処理装置における検査に関する情報、および、メンテナンス情報処理装置におけるメンテナンスに関する情報並びに故障に関する情報は、医療機器の識別情報と共に情報管理装置に送信される。情報管理装置においては、医療機器の識別情報と、検査に関する情報、およびメンテナンスに関する情報並びに故障に関する情報とを紐付けて管理する。情報管理装置の故障予測部は、検査に関する情報、メンテナンスに関する情報、および故障に関する情報を機械学習し、医療機器の故障可能性を予測する。したがって、本態様によれば、内視鏡等の医療機器の故障履歴に加えて、使用状況および洗浄・管理状況を学習・分析することにより、医療機器の故障予測が可能となる。
【００１０】
本発明の故障予測システムのプログラムの一態様は、上記課題を解決するため、
クリーニングを行うことにより繰り返し使用する医療機器の故障予測を行う故障予測システムの情報管理装置のプログラムであって、前記プログラムは、コンピュータに、
検査に用いられる前記医療機器の識別情報と、検査に関する情報とを入力するステップと、
クリーニングに用いられる前記医療機器の識別情報と、クリーニングに関する情報とを入力するステップと、
修理依頼される前記医療機器の識別情報と、故障に関する情報と入力するステップと、
前記検査に関する情報、前記クリーニングに関する情報、および前記故障に関する情報、並びに、前記医療機器の識別情報と紐付けて管理するステップと、
前記検査に関する情報、前記メンテナンスに関する情報、前記故障に関する情報、および前記医療機器管理情報を機械学習し、前記医療機器の故障可能性を予測するステップと、を実行させる。
【００１１】
本態様によれば、検査に用いられる医療機器の識別情報および検査に関する情報は、情報管理装置に入力される。メンテナンスされ、修理依頼される医療機器の識別情報、メンテナンスに関する情報、および故障に関する情報は情報管理装置に入力される。情報管理装置においては、医療機器の識別情報と、検査に関する情報、およびメンテナンスに関する情報並びに故障に関する情報とを紐付けて管理する。情報管理装置の故障予測部は、検査に関する情報、メンテナンスに関する情報、および故障に関する情報を機械学習し、医療機器の故障可能性を予測する。したがって、本態様によれば、内視鏡等の医療機器の故障履歴に加えて、使用状況および洗浄・管理状況を学習・分析することにより、医療機器の故障予測が可能となる。
【発明の効果】
【００１２】
以上より明らかなように、本発明の故障予測システム、故障予測方法、およびプログラムによれば、使用状況および洗浄・管理状況を学習・分析することにより、医療機器の故障予測を行うことができる。
【図面の簡単な説明】
【００１３】
【図１】一実施形態における医療機器故障予測システムの全体の構成例を示す概略図である。
【図２】一実施形態にかかるタブレットを構成するハードウェアの機能ブロック図である。
【図３】一実施形態にかかる情報管理装置を構成するハードウェアの機能ブロック図である。
【図４】内視鏡検査開始時の登録開始画面の一例を示す図である。
【図５】登録開始画面に患者ＩＤおよびスコープＩＤを入力した状態の画面の一例を示す図である。
【図６】洗浄管理時の洗浄管理画面の一例を示す図である。
【図７】洗浄前準備時の洗浄内容設定画面の一例を示す図である。
【図８】スコープ修理情報入力画面の一例を示す図である。
【図９】医療機器故障予測システムの処理の流れを示すフローチャートである。
【図１０】その他の実施形態における内視鏡検査開始時の登録開始画面の一例を示す図である。
【図１１】登録開始画面に患者ＩＤ、スコープＩＤ、および医師ＩＤを入力した状態の画面の一例を示す図である。
【発明を実施するための形態】
【００１４】
以下、この発明の実施の形態を、図面を参照しながら詳細に説明する。
【００１５】
（システムの概要）
図１に、本発明の一実施形態にかかる医療機器故障予測システムの全体の構成例を示す。図１に示されるシステム構成例はあくまでも例示であり、本発明にかかる医療機器故障予測システムは、後述するとおり多種多様なシステム構成を採用することができる。
【００１６】
図１において、本発明の一実施形態に係る医療機器故障予測システム１００は、内視鏡検査室１０１に設置された検査情報処理装置としてのタブレット２００ａおよび第１読み取り装置としてのスキャナ２１０ａを備えている。また、医療機器故障予測システム１００は、洗浄室１０２に設置されたメンテナンス情報処理装置としてのタブレット２００ｂおよび第２読み取り装置としてのスキャナ２１０ｂを備えている。さらに、医療機器故障予測システム１００は、無線ＬＡＮターミナル５００を介してインターネット等によりタブレット２００ａおよびタブレット２００ｂと通信可能に接続された情報管理装置６００を備えている。
【００１７】
検査情報処理装置およびメンテナンス情報処理装置は、タブレット以外のディスプレイ付きパーソナルコンピュータ等で実現することもできる。タブレット２００ａおよびタブレット２００ｂには、モニタ（ディスプレイ）２０１ａ，２０１ｂが備えられている。モニタ（ディスプレイ）２０１ａ，２０１ｂは、単に表示機能を備えるだけではなく、タッチパネルによる入力機能を備えている
【００１８】
内視鏡検査室１０１内のタブレット２００ａおよびスキャナ２１０ａは、内視鏡検査室１０１内に常設してもよいし、随時携行してもよい。内視鏡検査室１０１には、タブレット２００ａおよびスキャナ２１０ａの他、医療機器としての検査使用前の内視鏡３００ａなどが持ち込まれる。タブレット２００ａとスキャナ２１０ａとは有線または無線で接続される。内視鏡３００ａには、二次元コードが貼付けられ、あるいは、ＩＤタグが内蔵されており、二次元コードまたはＩＤタグの情報は、スキャナ２１０ａで読み取られ、タブレット２００ａに送られる。
【００１９】
洗浄室１０２内のタブレット２００ｂおよびスキャナ２１０ｂは、洗浄室１０２内に常設してもよいし、随時携行してもよい。洗浄室１０２内には一例として検査使用後であって予備洗浄が完了した医療機器としての内視鏡３００ｂなどが持ち込まれる。タブレット２００ｂとスキャナ２１０ｂとは有線または無線で接続される。内視鏡３００ｂには、二次元コードが貼付けられ、あるいは、ＩＤタグが内蔵されており、二次元コードまたはＩＤタグの情報は、スキャナ２１０ｂで読み取られ、タブレット２００ｂに送られる。
【００２０】
また、洗浄室１０２内には、予備洗浄が完了した内視鏡３００ｂを本洗浄するための洗浄器４００ａ〜４００ｃが設置されている。なお、洗浄器の数は１以上の任意の数であり、好ましくは２以上である。
【００２１】
タブレット２００ｂと洗浄器４００ａ〜４００ｃとは、図示しない有線または無線の回線によって通信可能に接続されている。タブレット２００ｂは、洗浄器４００ａ〜４００ｃから送信されてくる様々な情報、例えば、要消毒液交換といったエラーないしワーニング情報を受信したり、必要に応じて洗浄器４００ａ〜４００ｃへコマンド等を送信したりするためのインタフェースを備えている。なお、タブレット２００ｂを洗浄器４００ａ〜４００ｃと通信可能に接続する構成は必須ではなく、ユーザが、必要な情報をタブレット２００ｂに入力するように構成してもよい。
【００２２】
内視鏡検査室１０１のタブレット２００ａおよび洗浄室１０２のタブレット２００ｂは、例示的に、無線ＬＡＮターミナル５００を介して情報管理装置６００に通信可能に接続されている。情報管理装置６００は、タブレット２００ａおよびタブレット２００ｂ等から送信されてきた情報を保存管理するサーバ機能を有しており、これらに限定されるものではないが、ＰＣやタブレット等を採用することができる。
【００２３】
情報管理装置６００は、１台以上のサーバ群として構成することもできる。また、情報管理装置６００の機能を、内視鏡検査室１０１のタブレット２００ａおよび洗浄室１０２のタブレット２００ｂのいずれかに実装することができる。この場合、情報管理装置６００は省略され、管理情報は、内視鏡検査室１０１のタブレット２００ａおよび洗浄室１０２のタブレット２００ｂのいずれかにおいて集中ないし分散して管理される。
【００２４】
本発明の実施に必要なプログラムないしソフトウェアは、通常、タブレット２００ａ、タブレット２００ｂ、および情報管理装置６００の記憶部におけるＨＤＤないしＳＳＤ等にインストールないし記憶され、プログラムないしソフトウェアの実行時には、必要に応じて記憶部内のメモリにその全部または一部のソフトウェアモジュールとして読み出され、各装置のＣＰＵ等において演算実行される。
【００２５】
（機能ブロック）
図２に、本発明の一実施形態にかかるタブレット２００ａおよびタブレット２００ｂを構成するハードウェアの機能ブロック図を例示する。タブレット２００ａおよびタブレット２００ｂの動作は、以下に説明するハードウェアの個々の動作、及びこれらのハードウェアとソフトウェアの連携動作によって実現されている。
【００２６】
図２において、タブレット２００ａおよびタブレット２００ｂは、制御部１０と、入力部２０と、表示部３０と、記憶部４０と、通信処理部５０とを備えている。制御部１０は、プログラムによって様々な数値計算や論理演算を行うＣＰＵによって構成される。制御部１０は、入力部２０からデータの入力処理、表示部３０における表示処理、記憶部４０からのデータの読み取り処理または記憶部４０へのデータの書き込み処理、および通信処理部５０を介した通信処理等を制御する。
【００２７】
入力部２０は、ハードウェアボタン、およびモニタ２０１ａ，２０１ｂに設けられたマルチタッチ入力パネル等で構成される。表示部３０は、モニタ２０１ａ，２０１ｂ等で構成される。記憶部４０は、プログラムやデータ等を記憶するためのハードディスク、ＲＡＭおよび／またはＲＯＭ、あるいはＳＳＤ等で構成される。通信処理部５０は、インターネットにアクセスするためのスロットや光通信を行うためのポート、及び通信インタフェースから構成される。
【００２８】
図３に、本発明の一実施形態にかかる情報管理装置６００を構成するハードウェアの機能ブロック図を例示する。情報管理装置６００の動作は、以下に説明するハードウェアの個々の動作、及びこれらのハードウェアとソフトウェアの連携動作によって実現されている。
【００２９】
図３において、情報管理装置６００は、制御部６１０と、入力部６２０と、表示部６３０と、記憶部６４０と、通信処理部６５０とを備えている。制御部６１０は、プログラムによって様々な数値計算や論理演算を行うＣＰＵによって構成される。制御部６１０は、入力部６２０からデータの入力処理、表示部６３０における表示処理、記憶部６４０からのデータの読み取り処理または記憶部６４０へのデータの書き込み処理、および通信処理部６５０を介した通信処理等を制御する。本実施形態においては、制御部６１０は、故障予測部として機能する。
【００３０】
入力部６２０は、ハードウェアボタン、および表示部６３０に設けることが可能なマルチタッチ入力パネル等で構成される。表示部６３０は、液晶ディスプレイ等で構成される。記憶部６４０は、プログラムやデータ等を記憶するためのハードディスク、ＲＡＭおよび／またはＲＯＭ、あるいはＳＳＤ等で構成される。通信処理部６５０は、インターネットにアクセスするためのスロットや光通信を行うためのポート、及び通信インタフェースから構成される。
【００３１】
（タブレットの表示画面例：内視鏡検査時）
本発明の一実施形態にかかるタブレット２００ａの表示例について、図４および図５を参照しつつ説明する。図４は、内視鏡検査開始時の登録開始画面の一例を示す図であり、図５は、図４の登録開始画面に患者ＩＤおよびスコープＩＤを入力した状態の画面の一例を示す図である。
【００３２】
内視鏡検査開始時においては、タブレット２００ａのモニタ２０１ａには、図４に示すような登録開始画面が表示される。登録開始画面には、患者ＩＤ入力欄２０２、スコープＩＤ入力欄２０３、使用登録ボタン２０４、入力情報リセット２０７、終了ボタン２０６が表示される。
【００３３】
患者ＩＤ入力欄２０２には、内視鏡検査の被験者である患者の患者ＩＤを入力する。患者ＩＤは、例えば、電子カルテ等の情報を入力してもよいし、内視鏡検査を行う医師あるいは看護師等が手動で入力してもよい。
【００３４】
スコープＩＤ入力欄２０３には、内視鏡検査に使用する内視鏡３００ａのスコープＩＤを入力する。スコープＩＤは、例えば、内視鏡３００ａに付された二次元コードまたはＩＤタグをスキャナ２１０ａによって読み取ることにより入力される。
【００３５】
使用登録ボタン２０４は、患者ＩＤ入力欄２０２への患者ＩＤの入力、およびスコープＩＤ入力欄２０３へのスコープＩＤの入力が完了した後に押下するボタンである。図５に示すように、患者ＩＤ入力欄２０２へ患者ＩＤを入力し、さらにスコープＩＤ入力欄２０３にスコープＩＤを入力した後に、ユーザは使用登録ボタン２０４を押下する。このよう使用登録ボタン２０４を押下するにことにより、内視鏡検査が行われた日時、内視鏡検査の種類等の情報が、患者ＩＤおよびスコープＩＤと紐付けられて、情報管理装置６００に送信される。
【００３６】
入力情報リセットボタン２０７は、患者ＩＤ入力欄２０２およびスコープＩＤ入力欄２０３に入力した情報をリセットする場合に押下するボタンである。終了ボタン２０６は、図５に示す登録開始画面を終了させる場合に押下するボタンである。
【００３７】
（タブレットの表示画面例：洗浄管理）
本発明の一実施形態にかかるタブレット２０１ｂのモニタ２０１ｂの表示例について、図６を参照しつつ説明する。図６は、洗浄管理時の洗浄管理画面の一例を示す図である。
【００３８】
図示を省略する初期画面において洗浄管理開始ボタンを押下することにより、モニタ２０１ｂには、図６に示す洗浄管理時の洗浄管理画面が表示される。洗浄内容設定画面には、終了ボタン２３０、患者ＩＤ表示欄２３１、内視鏡型名表示欄２３２、洗浄実施者表示欄２３３、入力情報リセットボタン２３４、および履歴管理ボタン２３５が表示される。
【００３９】
また、モニタ２０１ｂには、現在日時表示部２３６、上側左矢印ボタン２３７、選択位置表示マーク２３８、洗浄器表示部２３９〜２４２、上側右矢印ボタン２４３、インジケータ２４４、残り時間表示部２４５、および終了予定表示部２４６が表示される。
【００４０】
さらに、モニタ２０１ｂには、キャンセルボタン２４７、完了ボタン２４８、洗浄本数表示部２４９、下側左矢印ボタン２５０、履歴表示部２５１、および下側右矢印ボタン２５２が表示される。
【００４１】
終了ボタン２３０は、洗浄管理画面を終了させる際に押下するボタンである。終了ボタン２３０を押下することにより、モニタ２０１ｂの表示は、洗浄管理画面から図示を省略する初期画面に遷移する。
【００４２】
患者ＩＤ表示欄２３１には、スコープＩＤに紐付けられた患者ＩＤのうち、洗浄対象の内視鏡３００ｂが使用された患者の患者ＩＤが表示される。スコープＩＤと患者ＩＤとは一対一に紐付けられており、内視鏡の洗浄が終了すると、スコープＩＤと患者ＩＤの紐付けは解除される。内視鏡型名表示欄２３２には、洗浄対象となる内視鏡３００ｂの型名が表示される。洗浄を行う際には、図示を省略する初期画面において、洗浄対象の内視鏡３００ｂに付された二次元コードまたはＩＤタグをスキャナ２１０ｂによって読み取ることにより入力される。それぞれの内視鏡３００ｂには、型名とスコープＩＤが紐付けられており、内視鏡３００ｂに付された二次元コードまたはＩＤタグをスキャナ２１０ｂによって読み取ることにより、当該内視鏡３００ｂのスコープＩＤが入力される。この入力されたスコープＩＤに基づいて、上述した患者ＩＤの表示が可能となる。なお、各内視鏡３００ｂに紐付けられた型名、スコープＩＤ、および患者ＩＤ等のデータは、情報管理装置６００に格納しておいたデータを読み取るようにしてもよいし、タブレット２００ｂに記憶させておいたデータを読み取るようにしてもよい。
【００４３】
洗浄実施者表示欄２３３には、洗浄を実施する実施者の登録名が表示される。実施者の登録名は、例えば、図示を省略する初期画面において、実施者の名札等に付された二次元コードまたはＩＤタグをスキャナ２１０ｂによって読み取ることにより入力される。この二次元コードまたはＩＤタグに紐付けられた実施者の登録名は、予めタブレット２００ｂを用いて登録し、タブレット２００ｂの記憶部４０に記憶させておけばよい。
【００４４】
入力情報リセットボタン２３４は、患者ＩＤ表示欄２３１、内視鏡型名表示欄２３２、および洗浄実施者表示欄２３３に入力した情報をリセットする際に用いるボタンである。入力情報リセットボタン２３４を押下することにより、患者ＩＤ表示欄２３１、内視鏡型名表示欄２３２、および洗浄実施者表示欄２３３に入力した情報はリセットされる。
【００４５】
履歴管理ボタン２３５は、洗浄の履歴データを表示させる場合に押下するボタンである。履歴管理ボタン２３５を押下することにより、モニタ２０１ｂの画面は、洗浄管理画面から、各種履歴閲覧やスコープ修理などのメニュー画面に遷移する。履歴表示画面に表示される履歴データとしては、内視鏡３００ｂのスコープＩＤごとの洗浄回数、洗浄時間等が挙げられる。
【００４６】
現在日時表示部２３６には、洗浄管理画面を表示している現在の年月日および時間が表示される。
【００４７】
上側左矢印ボタン２３７は、前ページに戻るためのボタンである。上側左矢印ボタン２３７を押下することにより、洗浄管理画面は、前ページに遷移する。図６に示す例では、上側左矢印ボタン２３７を押下することにより、図示を省略する初期画面に遷移する。
【００４８】
一方、上側右矢印ボタン２４３は、次ページに進むためのボタンである。例えば、洗浄器が４台以上備えられている場合には、上側右矢印ボタン２４３を押下することにより、洗浄管理画面は、５番以降の洗浄器の管理画面に遷移する。洗浄器が４台以下の場合はこの上側右矢印ボタン２４３は表示されない。
【００４９】
選択位置表示マーク２３８は、洗浄の残り時間等の情報をどの洗浄器について表示させるかを選択するためのマークである。選択位置表示マーク２３８の位置は、上述した上側左矢印ボタン２３７または上側右矢印ボタン２４３により移動させることができる。図７に示す例では、「１」と表示された洗浄器表示部２３９が選択され、洗浄管理画面には、洗浄器４００ａについての洗浄の残り時間等の情報が表示されている。
【００５０】
洗浄器表示部２３９〜２４２は、図１に示す洗浄器４００ａ〜４００ｄに対応した表示部である。図１に示す例では、洗浄器表示部２３９〜２４２に表示される「１」〜「４」の番号は、使用者が設定した洗浄器の番号に対応している。なお、対応する洗浄器がない場合には洗浄器表示部は表示されない。例えば、洗浄器が３台しか設定されていなかった場合には、洗浄器表示部２３９〜２４１の３つだけが表示される。警告マーク２４２ａは、消耗品(消毒剤、フィルターなど)が使用回数または日数限度を超えたときに表示されるマークである。洗浄器表示部２３９〜２４２のそれぞれには、洗浄の残り時間が、数値とインジケータにより表示される。また、消毒剤等の消耗品の使用回数／使用限度回数および使用日数／使用限度日数が表示される。消耗品の使用限度が「何回まで、または何日まで」と指定されている場合には、例えば使用回数が限度回数以下でも使用限度日数を経過すると使用不可とみなす。同様に、消耗品の使用日数が限度日数以下でも使用限度回数を超えると使用不可とみなす。
【００５１】
インジケータ２４４は、選択された洗浄器における洗浄の残り時間を目盛りを用いて表示する。洗浄器の選択は、選択位置表示マーク２３８により行う。図６に示す例では、「１」と表示された洗浄器表示部２３９が選択されており、この「１」に対応する洗浄器４００ａにおける洗浄の残り時間がインジケータ２４４上に表示されている。
【００５２】
残り時間表示部２４５は、インジケータ２４４に対応しており、選択された洗浄器における洗浄の残り時間を数値で表示する。終了予定表示部２４６は、選択された洗浄器における洗浄の終了予定時刻を表示する。
【００５３】
キャンセルボタン２４７は、洗浄を途中でキャンセルする際に押下するボタンである。ユーザがキャンセルボタン２４７を押下すると、選択された洗浄器における洗浄は途中でキャンセルされる。完了ボタン２４８は、設定時間経過前に途中で洗浄終了とするボタンである。なお、通常は、設定時間の経過により、自動的に洗浄が終了する。ユーザが、完了ボタン２４８を押下すると、選択された洗浄器における洗浄は完了したものとして取り扱われ、洗浄対象の内視鏡３００ｂについての洗浄時間、洗浄回数等のデータが、情報管理装置６００に送信される。
【００５４】
洗浄本数表示部２４９は、洗浄管理画面の表示当日において、選択された洗浄器により洗浄が行われた内視鏡３００ｂ等の医療器具の本数、あるいは洗浄回数が表示される。
【００５５】
下側左矢印ボタン２５０は、履歴表示部２５１の表示を左側（上側左矢印ボタン２３７において説明した方向と同じ方向）にスクロールさせるためのボタンである。下側左矢印ボタン２５０を押下するごとに、履歴表示部２５１の表示は左側にスクロールされる。
【００５６】
下側右矢印ボタン２５２は、履歴表示部２５１の表示を右側（上側右矢印ボタン２４３において説明した方向と同じ方向）にスクロールさせるためのボタンである。下側右矢印ボタン２５２を押下するごとに、履歴表示部２５１の表示を右側にスクロールされる。
【００５７】
履歴表示部２５１は、選択された洗浄器における洗浄の履歴を、洗浄終了または洗浄キャンセルされた時刻と共に表示する表示部である
【００５８】
（タブレットの表示画面例：洗浄内容設定）
本発明の一実施形態にかかるタブレット２０１ｂａの表示例について、図７を参照しつつ説明する。図７は、洗浄前準備時の洗浄内容設定画面の一例を示す図である。
【００５９】
図６に示す洗浄管理画面において、洗浄に使用する洗浄器を選択し、患者ＩＤ、スコープＩＤ、および洗浄実施者がすべて入力されると、図７に示す洗浄内容設定画面が表示される。洗浄内容設定画面には、対象スコープ表示欄２２０、洗浄器表示欄２２１、漏水検知設定部２２２、洗浄方法設定部２２３、消毒液濃度設定部２２４、測定値入力部２２５、洗浄開始ボタン２２５、および戻るボタン２２６が表示される。
【００６０】
対象スコープ表示欄２２０には、洗浄の対象となる内視鏡の型名等が表示される。内視鏡の型名等は、図６に示す洗浄管理画面で入力されたスコープＩＤに基づいて表示される。洗浄器表示欄２２１には、使用される洗浄器の番号、シリアル番号、ＩＤ等が表示される。図６に示す洗浄管理画面において、使用する洗浄器をユーザが選択すると、選択された洗浄器ＩＤに基づいて、洗浄器の番号、シリアル番号等が表示される。
【００６１】
漏水検知設定部２２２には、空気漏れなしボタン２２２ａ、空気漏れありボタン２２２ｂ、および未実施ボタン２２２ｃが表示される。漏水検知とは、内視鏡に穴あきがないかを検知する処理である。例えば、患者が内視鏡を噛んでしまった場合等に損傷することがあるため、この漏水検知を行う。漏水検知を行う前には、空気漏れがあるか否かを確認する場合がある。空気漏れがないことを確認した場合には、空気漏れなしボタン２２２ａを押下する。また、空気漏れがあることを確認した場合には、空気漏れありボタン２２２ｂを押下する。さらに、空気漏れの確認を行っていない場合には、未実施ボタン２２２ｃを押下する。図７においては、空気漏れなしボタン２２ａの枠が太く表示されており、空気漏れなしボタン２２ａが選択された例を示している。
【００６２】
洗浄方法設定部２２３には、通常洗浄ボタン２２３ａ、通常洗浄アルコールフラッシュボタン２２３ｂ、およびアルコールのみボタン２２３ｃが表示される。通常洗浄ボタン２２３ａが押下された場合には、アルコールを用いない通常の洗浄方法が選択される。通常洗浄アルコールフラッシュボタン２２３ｂが押下された場合には、通常の洗浄に加えて、アルコールのフラッシュが行われる洗浄方法が選択される。アルコールのみボタン２２３ｃが押下されると、アルコールのみで洗浄する洗浄方法が選択される。図７においては、通常洗浄アルコールフラッシュボタン２２３ｂの枠が太く表示されており、通常洗浄アルコールフラッシュボタン２２３ｂが選択された例を示している。
【００６３】
消毒液濃度設定部２２４には、問題なしボタン２２４ａ、問題ありボタン２２４ｂ、および未実施ボタン２２４ｃが表示される。消毒液濃度設定部２２４は、消毒液濃度点検結果を入力するために用いられる。点検の結果、問題なしであった場合には、問題なしボタン２２４ａが押下される。また、点検の結果、使用に不適なほど汚れていた等の場合には、問題ありボタン２２４ｂが押下される。消毒液濃度点検を行っていない場合には、未実施ボタン２２４ｃを押下する。図７においては、未実施ボタン２２４ｃの枠が太く表示されており、未実施ボタン２２４ｃが選択された例を示している。
【００６４】
測定値入力部２２５には、入力するボタン２２５ａ、および入力しないボタン２２５ｂが表示される。測定値入力部２２５は、消毒剤濃度を目視または試験紙による合否だけでなく、消毒液濃度測定を行う装置による測定値も記録するか否かを設定するために用いられる。消毒液濃度測定を行う装置による測定値を記録する場合には、入力するボタン２２５ａを押下し、記録しない場合には、入力しないボタン２２５ｂを押下する。図７においては、入力するボタン２２５ａの枠が太く表示されており、入力するボタン２２５ａが選択された例を示している。
【００６５】
洗浄開始ボタン２２５は、洗浄を開始する際に押下するボタンである。ユーザは、選択したいずれかの洗浄器に内視鏡３００ｂを入れ、上述した漏水検知設定部２２２、洗浄方法設定部２２３、消毒液濃度設定部２２４、および測定値入力部２２５においてそれぞれの設定を行い、洗浄開始ボタン２２５を押下する。その結果、図７に示す洗浄内容設定画面は自動的に閉じて、画面は図６に示す洗浄管理画面に戻る。また、各設定部において設定した内容で、洗浄が開始される。
【００６６】
戻るボタン２２６を押下すると、図７に示す洗浄内容設定画面から、図６に示す洗浄管理画面に戻る。
【００６７】
（タブレットの表示画面例：スコープ修理情報入力）
本発明の一実施形態にかかるタブレット２００ａのモニタ２０１ａまたはタブレット２０１ｂのモニタ２０１ｂの表示例について、図８を参照しつつ説明する。図８は、スコープ修理情報入力画面の一例を示す図である。
【００６８】
図８に示すスコープ修理情報入力画面は、内視鏡３００ａ，３００ｂの修理依頼を行う際、または修理依頼結果を確認する際に用いられる。内視鏡３００ａ，３００ｂの修理依頼は、内視鏡検査室１０１、洗浄室１０２、あるいはこれら以外の場所においてタブレット２００ａ，２００ｂを用いて行うことができる。以下の説明では、簡略化のためにタブレット２００ｂにおいてスコープ修理情報入力画面を表示する場合について説明するが、タブレット２００ａにおいても同様なスコープ修理情報入力画面を表示するようにしてもよい。
【００６９】
図６に示す洗浄管理画面において、履歴管理ボタン２３５を押下すると、各種履歴閲覧やスコープ修理などのメニュー画面（図示せず）が表示される。このメニュー画面において、スコープ修理を選択すると、図８に示すスコープ修理情報入力画面が表示される。  
【００７０】
図８に示すように、スコープ修理情報入力画面には、スコープ情報入力欄２６１、故障情報入力欄２６５、修理依頼情報入力欄２６６、修理依頼結果表示欄２７４、登録ボタン２８２、クリアボタン２８３、および戻るボタン２８４が表示される。
【００７１】
スコープ情報入力欄２６１には、スコープＩＤ入力欄２６２、型式入力欄２６３、およびシリアルＮｏ．入力欄２６４が設けられている。スコープＩＤ入力欄２６２には、修理対象の内視鏡３００ａ（３００ｂ）のスコープＩＤが入力される。スコープＩＤは、例えば、内視鏡３００ａに付された二次元コードまたはＩＤタグをスキャナ２１０ａによって読み取ることにより入力される。スコープＩＤには、型式およびシリアルＮｏ．が紐付けられており、スコープＩＤ入力欄２６２にスコープＩＤが入力されると、型式入力欄２６３には内視鏡３００ａ（３００ｂ）の型式が、また、シリアルＮｏ．入力欄２６４には内視鏡３００ａ（３００ｂ）のシリアルＮｏ．が自動的に表示される。スコープＩＤに紐付けられた型式およびシリアルＮｏ．の情報は、タブレット２００ａの記憶部４０に記憶させておいてもよいし、情報管理装置６００から受信してもよい。
【００７２】
故障情報入力欄２６５には、故障日入力欄２６６、カレンダーボタン２６７、および故障内容入力欄２６８が表示される。故障日入力欄２６６には、内視鏡３００ａ（３００ｂ）に故障が発生した日を入力する。故障日入力欄２６６への故障日の入力は、故障日入力欄２６６に文字入力機能を利用して直接行ってもよいし、カレンダーボタン２６７を押下することによりカレンダーを表示させ、該当日をクリックすることにより行ってもよい。故障内容入力欄２６８には、内視鏡３００ａ（３００ｂ）の故障の内容を、文字入力機能を利用して入力する。
【００７３】
修理依頼情報入力欄２６６には、修理依頼日入力欄２６９、カレンダーボタン２７０、搬出日入力欄２７１、カレンダーボタン２７２、代替機登録欄２７３が表示される。修理依頼日入力欄２６９には、内視鏡３００ａ（３００ｂ）の修理を依頼した日を入力する。修理依頼日入力欄２６９への修理依頼日の入力は、修理依頼日入力欄２６９に文字入力機能を利用して直接入力してもよいし、カレンダーボタン２７０を押下することによりカレンダーを表示させ、該当日をクリックすることにより入力するようにしてもよい。
【００７４】
搬出日入力欄２７１には、内視鏡３００ａ（３００ｂ）を修理業者に搬出した日を入力する。搬出日入力欄２７１への搬出日の入力は、搬出日入力欄２７１に文字入力機能を利用して直接入力してもよいし、カレンダーボタン２７２を押下することによりカレンダーを表示させ、該当日をクリックすることにより入力するようにしてもよい。代替機登録欄２７３には、代替機として受け取った内視鏡の型式等を入力する。
【００７５】
修理依頼結果表示欄２７４には、返却日入力欄２７５、カレンダーボタン２７６、修理代金入力欄２７７、修理完了ボタン２７８、使用停止ボタン２７９、破棄ボタン２８０、および詳細入力欄２８１が表示される。返却日入力欄２７５には、内視鏡３００ａ（３００ｂ）が返却された日を入力する。返却日入力欄２７１への搬出日の入力は、搬出日入力欄２７１に文字入力機能を利用して直接入力してもよいし、カレンダーボタン２７６を押下することによりカレンダーを表示させ、該当日をクリックすることにより入力するようにしてもよい。
【００７６】
修理代金入力欄２７７には、文字入力機能を利用して修理代金を入力する。修理完了ボタン２７８、使用停止ボタン２７９、および破棄ボタン２８０は、返却された内視鏡３００ａ（３００ｂ）の修理後の状態に応じて選択的に入力される。修理により再使用可能な場合には修理完了ボタン２７８、返却された内視鏡３００ａ（３００ｂ）に不具合がある場合には使用停止ボタン２７９、返却された内視鏡３００ａ（３００ｂ）が修理不能な場合には破棄ボタン２８０のそれぞれにチェックを入れる。詳細入力欄２８１には、文字入力機能を利用して、修理した箇所等の詳細な情報を入力する。
【００７７】
登録ボタン２８２は、上述した各欄に入力した内容を確定させる際に押下するボタンである。登録ボタン２８２が押下されると、上述した各欄に入力した内容は確定され、修理情報として、情報管理装置６００に送信される。
【００７８】
クリアボタン２８３は、上述した各欄に入力した内容をクリアさせる際に押下するボタンである。クリアボタン２８３が押下されると、上述した各欄に入力した内容はクリアされる。戻るボタン２８３は、スコープ修理情報入力画面を一つ前の画面に遷移させるためのボタンである。
【００７９】
（動作例）
図９は、本発明の一実施形態にかかる医療機器故障予測システム１００の処理の流れを示すフローチャートである。図９を参照しつつ、医療機器故障予測システム１００の動作例を説明する。内視鏡検査室１０１または洗浄室１０２において、スキャナ２１０ａまたはスキャナ２１０ｂにより、内視鏡３００ａまたは内視鏡３００ｂの二次元コードまたはＩＤタグを読み取ることにより、タブレット２００ａまたはタブレット２００ｂの制御部１０は、当該内視鏡３００ａまたは内視鏡３００ｂのスコープＩＤを取得する（Ｓ１）。
【００８０】
制御部１０は、スコープＩＤに紐付けられた情報を情報管理装置６００に送信する（Ｓ２）。スコープＩＤに紐付けられた情報としては、以下の情報が挙げられる。
・内視鏡情報（メーカー、型式、適合部位・・・）
・患者情報（患者ＩＤ、年齢、性別、・・・）
・検査情報（検査日時、検査部位、検査種類、・・・）
・内視鏡管理情報（「Ａ先生はこの内視鏡を好んで使う」、「Ｂ先生はこの内視鏡を嫌って使わない」、「Ｃ先生は取り扱いが悪くこの内視鏡を頻繁に壊す」など病院毎の事情やコメント）
・使用頻度（使用期間、使用回数、・・・）
・洗浄履歴（洗浄器、使用薬剤、洗浄時間、洗浄回数、・・・）
・故障情報（故障日、故障内容、修故障頻度、故障箇所、・・・）
・修理情報（修理依頼日、搬出日、返却日、修理内容、・・・）
・洗浄作業者（作業者ＩＤ、年齢、性別、作業経験、・・・）
【００８１】
また、制御部１０が、スコープＩＤに紐付けられた情報を情報管理装置６００に送信するタイミングは、スコープＩＤを読み取ったタイミングに限定されず、洗浄内容設定画面における洗浄開始ボタン２２５を押下したタイミング、洗浄管理画面の完了ボタン２４８を押下したタイミング、スコープ修理情報入力画面の登録ボタン２８２を押下したタイミング等が含まれる。
【００８２】
次に、情報管理装置６００の制御部６１０は、タブレット２００ａまたはタブレット２００ｂから送信されてきた情報に基づいて、データベースへの登録、データベースの更新、データベースの検索、紐付け処理等の各処理を実行する（Ｓ１０）。図９においては図示を省略するが、制御部６１０は、データベースの検索によって通知すべき情報が抽出された場合には、タブレット２００ａまたはタブレット２００ｂに抽出された情報を送信する。
【００８３】
次に、故障予測部として機能する情報管理装置６００の制御部６１０は、データベースに蓄積されたデータ、つまり、故障履歴データだけでなく、使用状況（使用頻度、使用者、患者、検査状況等）と、洗浄管理状況（洗浄者、洗浄器情報等）とを含むデータに基づいて、内視鏡３００ａまたは内視鏡３００ｂの故障発生の条件や確率について、ＡＩによる機械学習を行う（Ｓ１１）。
【００８４】
さらに、故障予測部として機能する制御部６１０は、機械学習の結果に基づいて、前記スコープＩＤを有する内視鏡３００ａまたは内視鏡３００ｂについての故障予測を行う（Ｓ１２）。
【００８５】
故障予測部として機能する制御部６１０は、故障予測の結果、前記スコープＩＤを有する内視鏡３００ａまたは内視鏡３００ｂについての故障可能性が、所定の確率以上であった場合には（Ｓ１３：ＹＥＳ）、タブレット２００ａまたはタブレット２００ｂに対して、当該内視鏡３００ａまたは内視鏡３００ｂの故障可能性が高い旨の通知を送信する（Ｓ１４）。
【００８６】
この通知を受信したタブレット２００ａまたはタブレット２００ｂは、モニタ２０１ａまたはモニタ２０１ｂの画面上に、当該内視鏡３００ａまたは内視鏡３００ｂの故障可能性が高い旨の警告を表示する（Ｓ３）。
【００８７】
故障可能性が高い旨の警告の表示は、例えば、モニタ２０１ａまたはモニタ２０１ｂの画面上に、「この内視鏡は故障する可能性が○％です」のように警告メッセージの文章として表示してもよいし、モニタ２０１ａまたはモニタ２０１ｂの画面上の内視鏡のアイコンを点滅させる等のアラーム表示でもよい。また、警告メッセージは、モニタ２０１ａまたはモニタ２０１ｂの画面の全体に表示させてもよいし、ポップアップ表示により内視鏡検査開始時の登録開始画面上に重ねて表示させてもよい。
【００８８】
以上のように、本実施形態の医療機器故障予測システム１００によれば、故障履歴データに加えて、使用状況（使用頻度、使用者、患者、検査状況等）と、洗浄管理状況（用手洗浄者、洗浄者、洗浄器情報等）とを合わせてデータ化し、故障発生の条件や確率をＡＩによる機械学習および解析によって判断し、故障予測を通知する。これにより、内視鏡運用時に使用者に対する注意喚起、または早期の修理や確認を促すことにより、医療事故の軽減や、検査の遅延を防止することができる。
【００８９】
以上、具体例に基づき、医療機器故障予測システム１００、情報、並びに、プログラム等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【００９０】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【００９１】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【００９２】
（その他の実施形態）
次に、本発明のその他の実施形態にかかるタブレット２００ａの表示例について、図１０および図１１を参照しつつ説明する。図１０は、その他の実施形態における内視鏡検査開始時の登録開始画面の一例を示す図であり、図１１は、図１０の登録開始画面に患者ＩＤ、スコープＩＤ、および医師ＩＤを入力した状態の画面の一例を示す図である。
【００９３】
上述した実施形態では、図３に示す内視鏡検査開始時の登録開始画面において、患者ＩＤとスコープＩＤとを入力する態様について説明したが、本発明はこのような態様に限定される訳ではない。
【００９４】
例えば、図９に示すように、内視鏡検査開始時の登録開始画面に医師ＩＤ入力欄２０７を表示させてもよい。医師ＩＤの入力は、ＲＦ−ＩＤタグを用いてもよいし、病院内システムからデータを読み取るようにしてもよい。図１０は、医師ＩＤが医師ＩＤ入力欄２０７に入力された例を示している。
【００９５】
入力された医師ＩＤは、スコープＩＤ、および上述した実施形態で説明した他の情報と紐付けられ、タブレット２００ａから情報管理装置６００に送信される。情報管理装置６００の故障予測部として機能する制御部６１０は、故障履歴データだけでなく、使用状況（使用頻度、使用者、患者、検査状況等）と、洗浄管理状況（洗浄者、洗浄器情報等）と、さらには施術した医師の情報とを含むデータに基づいて、内視鏡３００ａの故障発生の条件や確率について、ＡＩによる機械学習を行う。さらに、故障予測部として機能する制御部６１０は、機械学習の結果に基づいて、前記スコープＩＤを有する内視鏡３００ａについての故障予測を行う。
【００９６】
したがって、施術する医師と、内視鏡３００ａの故障との相関関係が高い場合には、施術する医師に応じて、故障の可能性を適切に予測することが可能となる。
【００９７】
（変形例）
上述した実施形態では、医療器具の一例として、内視鏡を用いた態様について説明したが、本発明はこのような態様に限定される訳ではない。内視鏡の他にも、例えば、超音波プローブについても内視鏡と同様に、機械学習による故障予測を行うことができる。
【００９８】
超音波プローブの場合には、用手洗浄が必要となるが、この場合には、用手洗浄の管理画面をタブレット２００ｂのモニタ２０１ｂ等に表示させ、この管理画面において、用手洗浄者、用手洗浄の回数等の用手洗浄情報を超音波プローブＩＤと紐付け、タブレット２００ｂから情報管理装置６００に送信するようにしてもよい。このようにすれば、情報管理装置６００において、超音波プローブの故障履歴データだけでなく、使用状況（使用頻度、使用者、患者、検査状況等）と、用手洗浄管理状況（用手洗浄者、用手洗浄回数等）を含むデータに基づいて、超音波プローブの故障発生の条件や確率について、ＡＩによる機械学習を行うことができる。さらに、故障予測部として機能する制御部６１０は、機械学習の結果に基づいて、超音波プローブについての故障予測を行うことができる。
【００９９】
また、本発明は、超音波プローブの他にも、洗浄が必要となる様々な医療機器について適用可能である。
【０１００】
上述した実施形態では、内視鏡本体の故障予測を行う態様について説明したが、本発明はこのような態様に限定される訳ではない。例えば、内視鏡本体の故障予測に加えて、型式ごとの内視鏡部位別の故障予測を行うようにしてもよい。この場合には、図７に示すスコープ修理情報入力画面において、故障部位についても入力するようにすればよい。
【０１０１】
情報管理装置６００は、クラウド上で機能するクラウドサーバとして構成することも可能である。そして、クラウドサーバとしての情報管理装置６００により、複数の病院における医療機器の使用状況、洗浄状況、あるいは故障状況の情報を集約することも可能である。
【０１０２】
医療機器故障予測システム１００をこのように構成した場合には、医療機器の故障率比較を病院間で行うことができ、修理コストを考慮した利益の比較を行うことが可能となる。例えば、内視鏡Ａ、洗浄器Ｂ、薬剤Ｃを使用するよりも、内視鏡Ｄ、洗浄器Ｅ、薬剤Ｆで運用した方が修理コストがかからない等の予測を行うことができる。
【０１０３】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【０１０４】
１０      制御部
２０      入力部
３０      表示部
４０      記憶部
５０      通信処理部
１００    医療機器故障予測システム
１０１    内視鏡検査室
１０２    洗浄室
２００ａ  タブレット
２００ｂ  タブレット
２０１ａ  モニタ
２０１ｂ  モニタ
２１０ａ  スキャナ
２１０ｂ  スキャナ
３００ａ  内視鏡
３００ｂ  内視鏡
４００ａ  洗浄器
４００ｂ  洗浄器
４００ｃ  洗浄器
５００    無線ＬＡＮターミナル
６００    情報管理装置
６１０    制御部
６２０    入力部
６３０    表示部
６４０    記憶部
６５０    通信処理部
【図１】
2020091562.tif 000003
【図２】
2020091562.tif 000004
【図３】
2020091562.tif 000005
【図４】
2020091562.tif 000006
【図５】
2020091562.tif 000007
【図６】
2020091562.tif 000008
【図７】
2020091562.tif 000009
【図８】
2020091562.tif 000010
【図９】
2020091562.tif 000011
【図１０】
2020091562.tif 000012
【図１１】
2020091562.tif 000013
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
クリーニングを行うことにより繰り返し使用する医療機器の故障予測を行う故障予測システムであって、
前記医療機器を用いた検査に関する情報を処理する検査情報処理装置と、
前記検査情報処理装置と通信可能であり、前記医療機器の識別情報を読み取る第１読み取り装置と、
前記医療機器のクリーニングに関する情報、前記医療機器のメンテナンスに関する情報、および前記医療機器の故障に関する情報を処理するメンテナンス情報処理装置と、
前記メンテナンス情報処理装置と通信可能であり、前記医療機器の識別情報を読み取る第２読み取り装置と、
前記検査情報処理装置および前記メンテナンス情報処理装置と通信可能であり、前記検査に関する情報、前記クリーニングに関する情報、前記メンテナンスに関する情報、および前記故障に関する情報、並びに、前記医療機器の型式等を含む医療機器管理情報を前記医療機器の識別情報と紐付けて管理する情報管理装置と、を備え、
前記情報管理装置は、
前記検査に関する情報、前記クリーニングに関する情報、前記メンテナンスに関する情報、前記故障に関する情報、および前記医療機器管理情報を機械学習し、前記医療機器の故障可能性を予測する故障予測部を備える、
故障予測システム。
【請求項２】
前記医療機器を用いた検査に関する情報には、前記検査を受けた患者に関する情報、前記検査を行った医者に関する情報、および前記検査の内容に関する情報が含まれる、
請求項１に記載の故障予測システム。
【請求項３】
前記医療機器のクリーニングに関する情報には、前記医療機器の洗浄または拭き取りの種類、洗浄または拭き取りに使用した薬剤、洗浄または拭き取りに用いた器具、および洗浄または拭き取りを行った者に関する情報が含まれる、
請求項１または請求項２に記載の故障予測システム。
【請求項４】
前記医療機器の故障に関する情報には、故障頻度、および故障箇所に関する情報が含まれる、
請求項１ないし請求項３のいずれか一項に記載の故障予測システム。
【請求項５】
前記情報管理装置は、インターネット回線を介して、複数箇所における前記検査情報処理装置および前記メンテナンス情報処理装置と通信可能に接続されている、
請求項１ないし請求項４のいずれか一項に記載の故障予測システム。
【請求項６】
クリーニングを行うことにより繰り返し使用する医療機器の故障予測を行う故障予測方法であって、
検査情報処理装置により、前記医療機器を用いた検査に関する情報を処理するステップと、
前記検査情報処理装置と通信可能な第１読み取り装置により、前記医療機器の識別情報を読み取るステップと、
メンテナンス情報処理装置により、前記医療機器のクリーニングに関する情報、前記医療機器のメンテナンスに関する情報、および前記医療機器の故障に関する情報を処理するステップと、
前記メンテナンス情報処理装置と通信可能な第２読み取り装置により、前記医療機器の識別情報を読み取るステップと、
前記検査情報処理装置および前記メンテナンス情報処理装置と通信可能な情報管理装置により、前記検査に関する情報、前記クリーニングに関する情報、前記メンテナンスに関する情報、および前記故障に関する情報、並びに、前記医療機器の型式等を含む医療機器管理情報を前記医療機器の識別情報と紐付けて管理するステップと、
前記情報管理装置により、前記検査に関する情報、前記クリーニングに関する情報、前記メンテナンスに関する情報、前記故障に関する情報、および前記医療機器管理情報を機械学習し、前記医療機器の故障可能性を予測するステップと、を備える、
故障予測方法。
【請求項７】
クリーニングを行うことにより繰り返し使用する医療機器の故障予測を行う故障予測システムの情報管理装置におけるプログラムであって、前記プログラムは、コンピュータに、
検査に用いられる前記医療機器の識別情報と、検査に関する情報とを入力するステップと、
クリーニングに用いられる前記医療機器の識別情報と、前記医療機器のクリーニングに関する情報とを入力するステップと、
修理依頼される前記医療機器の識別情報と、前記医療機器のメンテナンスに関する情報と、前記医療機器の故障に関する情報と入力するステップと、
前記検査に関する情報、前記クリーニングに関する情報、前記メンテナンスに関する情報、および前記故障に関する情報、並びに、前記医療機器の型式等を含む医療機器管理情報を前記医療機器の識別情報と紐付けて管理するステップと、
前記検査に関する情報、前記クリーニングに関する情報、前記メンテナンスに関する情報、前記故障に関する情報、および前記医療機器管理情報を機械学習し、前記医療機器の故障可能性を予測するステップと、を実行させる、
プログラム。